(57)【要約】【課題】遊技盤上に配される遊技部材を前方側に大型化可能な構造を有するパチンコ機を提供することを目的とする。【解決手段】前方ガラス板６５及び後方ガラス板６７からなるガラス板６４を遊技盤の前面に備えたパチンコ機１である。  前方ガラス板６５には、その最前端６５Ｃと遊技盤１３の遊技盤面１３Ａとの距離が遊技球Ｐの直径の３倍以上となるように前方に向けて突出した突出部６５Ｂが設けられ、この突出部６５Ｂの後方側は遊技盤１３に突出して取り付けられた装飾部材２６を収納する収納空間７１とされている。従来のものと比べて装飾部材２６を前方側に大型化でき、遊技者にインパクトを与えることができる。【選択図】図３
2010088956.tif 000002
【特許請求の範囲】
【請求項１】
透明板が遊技盤の前方に配されてなるパチンコ機であって、
前記遊技盤には、遊技球が前記透明板の後面と前記遊技盤との間を流下可能な第１領域と、装飾のための遊技部材が突出して配されてこの遊技部材と前記透明板との間の空間が前記遊技球が流下不能とされた第２領域とを有し、
前記透明板は、前記第１領域に対応して平面部を有するとともに、前記第２領域に対応して配され前記遊技部材が収納可能となるよう、その最前端と前記遊技盤面との距離が前記遊技球の直径の３倍以上に設定された突出部とを有してなることを特徴とするパチンコ機。
【発明の詳細な説明】
【技術分野】
【０００１】
本発明は、パチンコ機に関する。
【背景技術】
【０００２】
従来、ガラス板等の透明板の構造に工夫を凝らして遊技者の興味を引くようにしたものが提案されている（例えば特許文献１参照）。このものは、後方ガラスに前方ガラスと接する位置まで部分的に突出した突出部を設け、この突出部内に遊技球を導いて遊技球に前後方向の動きを与えることにより遊技者の興味を引くというものである。
【先行技術文献】
【特許文献】
【０００３】
【特許文献１】特開昭５６−８５３７３号（第２図）
【発明の概要】
【発明が解決しようとする課題】
【０００４】
このように従来のものは、ガラス板を通常よりも突出させる形態を採用したことにより、遊技者に一定の斬新さを与えるものであるが、突出部分の内部を遊技球の動作空間として利用するものとなっている。
ところが、パチンコ機では従来からほぼ同様の釘配置が採用されてきたため、遊技者は従来からの遊技球の動きに慣れているが、このもののように、遊技球を立体的に動作させるようにしたものでは、遊技球の動きが過度となって却って遊技者が戸惑うおそれがある。つまり、ガラス板の突出部分は遊技球の動作空間として利用するよりも、むしろ、その突出形態はデザイン的にこそ価値を見出すべきと考えられる。
【０００５】
一方、遊技者は遊技盤上に配された遊技部材、例えばランプ、キャラクタ人形等の装飾部材の点灯、点滅、動作等に興味を引かれている。従って、遊技者の興味を増加させるために遊技部材は年々大型化する傾向にあり、近年では例えば遊技盤の右上方領域は遊技球が打ち込まれない領域として、ここに大型の遊技部材を配置したパチンコ機が多く見受けられるようになっている。
このような現状を考えると、ガラス板の突出部分と、大型の遊技部材との組み合わせはデザイン的に相乗効果を与え得ると言える。
【０００６】
しかしながら、遊技部材は遊技盤上に配されており、その前面には後方ガラス板が配置されるため、遊技部材を前方側に大型化させるとしても後方ガラスに当たらない程度しか大型化させることはできなかった。
具体的には、遊技盤面と後方ガラス板との距離は、遊技球の直径よりも若干大きい程度であるため、遊技部材を遊技盤面から１ｃｍ程度しか突出させることはできなかった。従って、遊技者に対して遊技部材の大型化によるインパクトをそれ程与えることはできなかった。
本発明は上記のような事情に基づいて完成されたものであって、遊技部材を前方側に更に大型化可能な構造を有するパチンコ機を提供することを目的とする。
【課題を解決するための手段】
【０００７】
上記課題を解決するための有効な手段とその作用・効果を以下に示す。
＜手段１＞
手段１は、
透明板が遊技盤の前方に配されてなるパチンコ機であって、
前記遊技盤には、遊技球が前記透明板の後面と前記遊技盤との間を流下可能な第１領域と、装飾のための遊技部材が突出して配されてこの遊技部材と前記透明板との間の空間が前記遊技球が流下不能とされた第２領域とを有し、
前記透明板は、前記第１領域に対応して平面部を有するとともに、前記第２領域に対応して配され前記遊技部材が収納可能となるよう、その最前端と前記遊技盤面との距離が前記遊技球の直径の３倍以上に設定された突出部とを有してなることを特徴とする。
なお、透明板には、ガラス板の他、透明な樹脂板も含まれる。
【０００８】
本手段の構成によれば、透明板には、遊技球が透明板の後面と遊技盤との間を流下可能な第１領域に対応して平面部が設けられているから、遊技球の動きを遊技者が慣れ親しんだ従来通りの平面的なものとすることができる。
さらに、透明板には、その最前端と遊技盤の盤面との距離が遊技球の直径の３倍以上となるように前方に向けて突出した突出部が設けられ、この突出部の後方側は遊技盤に突出して取り付けられた装飾のための遊技部材が収納されるから、遊技部材を前方側に更に大型化できる。
【０００９】
＜手段２＞
手段２は、手段１に記載のものにおいて、前記透明板の平面部と前記透明板の突出部とは曲面にて繋がれていることを特徴とする。
本手段の構成によれば、透明板の平面部と突出部との境界線が見えにくくなるから、境界線が目障りでなくなる。
さらに、本手段の構成によれば以下の作用効果も奏される。透明板の一部を突出させると、透明板に応力がかかった場合に平面部と突出部との境界付近に応力が集中し易い。従って遊技者がガラス板をたたいたりすると、この部分から割れるおそれがある。
【００１０】
本手段の構成によれば、平面部と突出部とは曲面にて繋がれているから、透明板に応力がかかった場合でもその境界付近で応力が局部的に集中することはなく割れにくくなる。
【００１１】
＜手段３＞
手段３は、手段１又は手段２に記載のものにおいて、前記遊技部材の一部は、駆動手段により動作可能に構成されていることを特徴とする。
【００１２】
本手段の構成によれば、遊技部材は従来に比べて遊技盤の前方側に大型化し、さらにその一部は駆動手段により可動する。従って、遊技者の興味をより一層引くことができる。
【００１３】
＜手段４＞
手段４は、手段１ないし手段３のいずれかに記載のものにおいて、前記遊技部材はキャラクタ人形であることを特徴する。
【００１４】
パチンコ機にはオリジナルキャラクタ等のキャラクタ人形が遊技盤に配置されることが多い。
このような場合、キャラクタ人形はできる限り立体的なものであることが望ましいが、従来のパチンコ機においては遊技盤面から１ｃｍ程度しか突出させることができなかったため、その立体感は十分には表現されていなかった。
本手段の構成によれば、キャラクタ人形を従来よりも前方側に突出させることができるため立体感をより一層引き出すことができる。
【００１５】
＜手段５＞
手段５は、手段１ないし手段４のいずれかに記載のものにおいて、前記遊技部材は、所定の枠により囲まれるように区画された遊技領域のほぼ中央部に形成されていることを特徴する。
【００１６】
遊技領域のほぼ中央部は遊技者の視野に入りやすいため、前方側に大型化した遊技部材を目立たせることができる。
【００１７】
＜手段６＞
手段６は、手段１ないし手段５のいずれかに記載のものにおいて、前記遊技部材は、所定の枠により囲まれるように区画された遊技領域の端部付近に形成されていることを特徴とする。
【００１８】
一般に、遊技領域の端部付近は遊技者の視野に入りにくいため、端部付近の装飾効果は低い。
本手段の構成によれば、端部付近に大型化された遊技部材を配したから、端部付近も目立たせることができ端部付近の装飾性を向上させることができる。
【００１９】
＜手段７＞
手段７は、手段１ないし手段６のいずれかに記載のものにおいて、前記遊技部材は、所定の枠により囲まれるように区画された遊技領域よりも外の領域に形成されていることを特徴とする。
【００２０】
一般に、遊技領域よりも外の領域は遊技者の視野に入りにくいため、その領域の装飾効果は低い。
本手段の構成によれば、遊技領域よりも外に大型化された遊技部材を配したから、遊技領域の外の領域も目立たせることができこの領域の装飾性を向上させることができる。
【００２１】
＜手段８＞
手段８は、手段１ないし手段７のいずれかに記載のものにおいて、前記遊技盤には、前記第２領域への前記遊技球の進入を防止する進入防止手段が設けられていることを特徴とする。
【００２２】
本手段の構成によれば、第２領域への遊技球の進入は確実に防止されるから、遊技球が第２領域内の遊技部材に衝突して遊技部材を損傷させるおそれがなくなる。
【００２３】
＜手段９＞
手段９は、手段８に記載のものにおいて、前記進入防止手段は、前記遊技盤に立設された前記第２領域への前記遊技球の進入を防止する進入防止壁であることを特徴とする。
【００２４】
本手段の構成によれば、進入防止壁により第２領域への遊技球の進入は確実に防止される。
【００２５】
＜手段１０＞
手段１０は、手段９に記載のものにおいて、前記進入防止壁の前記第１領域側は、弾性部材にて形成されていることを特徴とする。
【００２６】
本手段の構成によれば、進入防止壁に衝突する遊技球を、進入防止壁で跳ね返して第１領域に戻すことができる。
また、遊技球の衝突による進入防止壁への衝撃が和らげられて進入防止壁の損傷が防止される。
【００２７】
＜手段１１＞
手段１１は、前記手段９又は手段１０に記載のものにおいて、前記進入防止壁は、ほぼ無色透明の透明部材にて形成されていることを特徴とする。
【００２８】
本手段の構成によれば、進入防止壁がほぼ無色透明であるから進入防止壁が遊技盤上で目立たなくなり、進入防止壁が目障りでなくなる。
【００２９】
＜手段１２＞
手段１２は、手段１ないし手段１１のいずれかに記載のものにおいて、前記透明板は、後方透明板と、この後方透明板よりも前方に位置する前方透明板とからなり、前記後方透明板には、前記突出部が形成されるとともに、この突出部が前記前方透明板に開けられた開口部から前方へ突出していることを特徴とする。
【００３０】
本手段の構成によれば、後方透明板の突出部の後方側は遊技盤に突出して取り付けられた装飾のための遊技部材が収納されるから、遊技部材を前方側に更に大型化できる。
【００３１】
＜手段１３＞
手段１３は、手段１ないし手段１１のいずれかに記載のものにおいて、前記透明板は、後方透明板と、この後方透明板よりも前方に位置する前方透明板とからなり、
前記後方透明板は、前記前方透明板の端部より幅方向外方へ延出された部分を有し、この延出された部分には前記突出部が設けられていることを特徴とする。
【００３２】
本手段の構成によれば、後方透明板の突出部の後方側は遊技盤に突出して取り付けられた装飾のための遊技部材が収納されるから、遊技部材を前方側に更に大型化できる。
【００３３】
＜手段１４＞
手段１４は、手段１ないし手段１１のいずれかに記載のものにおいて、前記透明板は、後方透明板と、この後方透明板よりも前方に位置する前方透明板とからなり、
前記前方透明板には前記突出部が形成されるとともに、前記後方透明板にも前方に突出する突出部が前記前方ガラス板の突出部と対応する位置に形成されていることを特徴とする。
【００３４】
本手段の構成によれば、後方透明板の突出部の後方側は遊技盤に突出して取り付けられた装飾のための遊技部材が収納されるから、遊技部材を前方側に更に大型化できる。
また、装飾のための遊技部材の前方には、２枚の透明板が配されるから、遊技者が透明板を叩いたとしても、２枚とも割られるおそれが減少し、突出部後方の装飾部材が破損するおそれが減少する。
【００３５】
＜手段１５＞
手段１５は、手段１ないし手段１１のいずれかに記載のものにおいて、前記透明板は、後方透明板と、この後方透明板よりも前方に位置する前方透明板とからなり、前記前方透明板には、前記突出部が形成されるとともに、前記後方透明板には前記前方透明板の前記突出部と対応する位置に開口が形成されていることを特徴とする。
【００３６】
本手段の構成によれば、遊技盤に突出して取り付けられた装飾のための遊技部材は、後方透明板の開口から前方へ突出させることができるから、遊技部材を前方側に更に大型化できる。
【００３７】
＜手段１６＞
手段１６は、手段１ないし手段１１のいずれかに記載のものにおいて、前記透明板は、後方透明板と、この後方透明板よりも前方に位置する前方透明板とからなり、
前記前方透明板は、前記後方透明板の端部より幅方向外方へ延出された部分を有し、この延出された部分には前記突出部が設けられていることを特徴とする。
【００３８】
本手段の構成によれば、前方透明板の突出部の後方側には遊技盤に突出して取り付けられた装飾のための遊技部材が収納されるから、遊技部材を前方側に更に大型化できる。
【００３９】
＜手段１７＞
手段１７は、手段１ないし手段１６のいずれかに記載のものにおいて、前記遊技部材内部には前記遊技球が進入可能な流路が形成されていることを特徴とする。
【００４０】
本手段の構成によれば、遊技部材内部に遊技球が進入可能となる。なお、この構成では、第１領域から第２領域に進入した遊技球を再び第１領域に戻す構成としてもよい。
【００４１】
＜手段１８＞
手段１８は、手段１７に記載のものにおいて、前記遊技球が進入可能な流路を形成する周壁の一部が透明部材にて形成されていることを特徴とする。
本手段の構成によれば、遊技者は遊技部材内部を通過する遊技球を確認することができるため、遊技球が遊技盤上から消失してしまったという疑問を感じることを防止することができる。
【図面の簡単な説明】
【００４２】
【図１】第１実施形態のパチンコ機の正面図である。
【図２】ガラス扉枠を開けた状態のパチンコ機の正面図である。
【図３】図１の要部断面図である。
【図４】第２実施形態のパチンコ機の要部断面図である。
【図５】第３実施形態のパチンコ機の要部断面図である。
【図６】第４実施形態のパチンコ機の要部正面図である。
【図７】第４実施形態のパチンコ機の要部断面図である。
【図８】第５実施形態のパチンコ機の要部断面図である。
【図９】第６実施形態のパチンコ機の要部断面図である。
【発明を実施するための形態】
【００４３】
＜第１実施形態＞
以下、本発明の第１実施形態を添付図面を参照しつつ説明する。
パチンコ機１の額縁状に形成された前面枠３の開口には、金枠５が周設されている。金枠５には、ガラス扉枠７と前面扉板９とが開閉可能に設けられている。なお、ガラス扉枠７の構成については後に詳述する。ガラス扉枠７の後方には、遊技盤１３が配置され、前面扉板９の表面には、打球を貯留し、かつ図示しない打球発射位置に打球を供給する上皿１５が固定されている。さらに、前面枠３の下方には、打球の発射力を調整する操作ハンドル１７、上皿１５に貯留しきれなかった景品玉を貯留する下皿１９が設けられている。
【００４４】
遊技盤１３の前面には、ほぼ円状に設けられる誘導レール２１によって区画された遊技領域２３が形成されている。
遊技領域２３は、図１の左側約２／３が、遊技球Ｐがガラス板６４の後面（本実施形態では後方ガラス板６７の後面）と遊技盤１３との間を流下可能な第１領域２３Ａとされている。一方、右側約１／３は、装飾部材２６が突出して配されてこの装飾部材２６と透明板６４との間の空間（図３における空間Ｋ）が遊技球Ｐが流下不能とされた第２領域２３Ｂとされており、遊技盤１３上に固定され第２領域２３Ｂへの遊技球Ｐの進入を阻止する境界壁（本発明の進入防止壁に相当）２５が設けられている。
境界壁２５は、ポリカーボネート等のほぼ無色透明な樹脂板からなり、その第１領域側の側面には、シリコンゴム等のほぼ無色透明な弾性部材(図示せず）が貼り付けられている。
第２領域２３Ｂには、前方側へ張り出した立体的なキャラクタ人形及び花の形状の装飾部材２６（本発明の遊技部材に相当）が取り付けられている。
なお、立体的なキャラクタ人形及び個々の花の形状の装飾部材２６は、それぞれ独立しており別個に遊技盤１３から突出するように取り付けられている。これらの最前端は図３に示すように後方ガラス板６７の板面よりも前方側に突出するようにされている。
また、装飾部材２６たるキャラクタ人形の手部２６Ａは図示しないソレノイド（駆動手段）により図３の破線に示すように前後方向に動作可能とされている。
【００４５】
遊技領域２３のほぼ中央には、特別図柄表示装置２７が配設されており、ここに複数の図柄列が表示される。本実施形態では、これらの図柄列として上図柄列２９、中図柄列３１及び下図柄列３３の３つの図柄列が表示されるが、それ以外の数の図柄列が表示されてもよい。
これらの図柄列２９，３１，３３は、通常変動時には横方向（右から左へ移動するように）にスクロール表示される。なお、図柄列は、例えば左図柄列、中図柄列、右図柄列のように縦方向にスクロール表示されるものであってもよい。
また、特別図柄表示装置２７の上部には普通図柄表示装置３５が併設されている。普通図柄表示装置３５は、発光ダイオード（ＬＥＤ）よりなる４つの保留ランプ３７と、普通図柄表示部たるＬＥＤよりなる７セグ表示部３９とを備えている。
【００４６】
さらに、特別図柄表示装置２７の左側には通過ゲート４１が配設されている。通過ゲート４１を遊技球Ｐが通過すると普通図柄表示装置３５が作動する。本実施形態では、普通図柄表示装置３５は、「０」〜「９」までの数字を可変表示して７セグ表示部３９にセグメント表示させ、その数字が所定値（本実施形態では「７」）で停止した場合に、始動口４５の羽根４５Ａを所定秒数開放させる。この開放により、始動口４５への入賞が比較的容易なものとなる。普通図柄表示装置３５は、遊技球Ｐの通過ゲート４１の通過回数を４回まで記憶することができ、保留ランプ３７でその保留数を表示する。従って、４つの保留ランプ３７が点灯している状態で遊技球Ｐが通過ゲート４１を通過してもカウントされず、保留ランプ３７が点灯している限り、遊技球Ｐが通過ゲート４１を通過しなくとも保留数に応じた回数だけ普通図柄表示装置３５は作動するようになっている。
【００４７】
特別図柄表示装置２７の表示部２７Ａでは、各図柄列２９，３１，３３の図柄変動（スクロール変動）が、遊技球Ｐの始動口４５への入賞に基づいて開始させられる。また、大当たり図柄、外れリーチ図柄及び外れ図柄の中から１つが選択され、これが停止図柄として設定される。停止図柄とは、各図柄列２９，３１、３３が図柄変動を停止したときに表示される図柄である。本実施形態では、図柄変動は、上図柄列２９、下図柄列３３、中図柄列３１の順に停止させられるが、これはあくまでも一例にすぎず、別の順序で停止するようにしてもよい。
【００４８】
大当たり状態は、リーチ遊技状態（リーチ状態）を経た後、全ての図柄列２９，３１，３３の変動が停止させられたとき、表示されている図柄の組合せが、予め定められた大当たりの組合せ、すなわち、同一種類の図柄が大当たりラインに沿って並んだ組合せとなる場合（例えば７、７、７や３、３、３等）であり、当該組合せを構成する図柄が「大当たり図柄」となる。大当たりの組合せが成立すると、特別電動役物が作動し（大入賞口４７が開かれ）、遊技者にとって有利な大当たり状態の到来、すなわち、より多くの景品球を獲得することが可能となる。
【００４９】
また、リーチ状態とは、大当たり直前の状態をいう（もちろん大当たり状態に至らない場合もある）。リーチ状態には、下図柄列３３の図柄変動が、大当たりライン上において上図柄列２９の停止図柄と同一種類の図柄で停止する状態が含まれる。
このリーチ状態には、中図柄列３１の図柄変動が、最終的に上・下両図柄列２９，３３の停止図柄と同一種類の図柄（大当たり図柄）で停止して大当たり状態になるもの以外にも、異なる種類の図柄（これを「外れリーチ図柄」という）で停止して、大当たり状態とならないもの（これを「外れリーチ状態」という）が含まれる。
【００５０】
遊技球Ｐの始動口４５への入賞に基づいて各図柄列２９，３１，３３の図柄変動が開始させられることはすでに説明したが、この変動表示中にさらに遊技球Ｐが始動口４５に入賞した場合には、その分の変動表示は、現在行われている変動表示の終了後に行われる。つまり、変動表示が待機（保留）される。この保留される変動表示の最大回数は、パチンコ機１の機種毎に決められている。本実施形態では保留最大回数が４回に設定されているが、これに限られるものではない。
特別図柄表示装置２７において、表示部２７Ａの上方には、発光ダイオード（ＬＥＤ）からなる保留ランプ４９が組み込まれている。保留ランプ４９の数は、前述した保留最大回数と同じ（この場合４個）である。保留ランプ４９は、変動表示の保留毎に点灯させられ、その保留に対応した変動表示の実行に伴い消灯させられる。このほかにも、パチンコ機１の複数箇所には、遊技効果を高めるための各種ランプが取り付けられている。これらのランプは、遊技の進行に応じて点灯状態（消灯、点灯、点滅等）が変えられる。さらに、パチンコ機１には、遊技の進行に応じて効果音を発生する図示しないスピーカが設けられている。
【００５１】
また、遊技者の操作に応じて変化するパチンコ機１の遊技状態を検出するべく、遊技盤１３には、スルースイッチ５１、始動口用スイッチ５３、Ｖゾーン用スイッチ５５及びカウントスイッチ５７等がそれぞれ設けられている。スルースイッチ５１は、遊技球Ｐの通過ゲート４１の通過を検出し、始動口用スイッチ５３は、遊技球Ｐの始動口４５への入賞を検出し、Ｖゾーン用スイッチ５５は、大入賞口４７のうちのＶゾーンへの遊技球Ｐの入賞を検出し、カウントスイッチ５７は、遊技球Ｐの大入賞口４７への入賞を検出する。
【００５２】
次に、ガラス扉枠７の構成について詳細に説明する。ガラス扉枠７は、金枠５の開口に係合可能な方形の枠となっており、上枠部と下枠部の後方側（裏面側）には、それらの間でガラス板（本発明の透明板に相当）６４、つまり前方ガラス板（本発明の前方透明板に相当）６５及び後方ガラス板（本発明の後方透明板に相当）６７を保持するための上方保持板６３Ａと下方保持板６３Ｂとが立設されている。
保持板６３Ａ，６３Ｂには、前方ガラス板６５及び後方ガラス板６７を収納するための前後の２つのガラス収納溝６３Ｃ，６３Ｄが形成されている。
【００５３】
後方ガラス板６７は、遊技盤１３の横幅の約２／３程度の横幅をもつ長方形平板のガラス板であり、ガラス扉枠７を閉じた状態で遊技球Ｐの直径よりも若干大きい間隔を開けつつ遊技盤面１３Ａと略平行となるように、かつ遊技盤１３の左側約２／３の領域を覆うようにして取り付けられている。すなわち、ガラス扉枠７を閉じた状態では、後方ガラス板６７が第１領域２３Ａを覆うようにされている。
一方、前方ガラス板６５は、後方ガラス板６７とほぼ同面積・同形の平面部６５Ａと、この平面部６５Ａの一端側（図３において右側）から斜め前方に湾曲するように延設された突出部６５Ｂとからなる。突出部６５Ｂは側方側（図３において右側）ほど前方に突出する形状とされている。なお、前方ガラス板６５の平面部６５Ａと前方ガラス板６５の突出部６５Ｂとは曲面にて繋がれている。
【００５４】
そして、前方ガラス板６５は、その平面部６５Ａが後方ガラス６７と所定間隔を開けつつ平行になるようにしてガラス扉枠７に取り付けられ、ガラス扉枠７を閉じた状態で、前方ガラス板６５の突出部６５Ｂが第２領域２３Ｂを覆うようにされている。
ところで、遊技盤１３の遊技盤面１３Ａから前方ガラス板６５の平面部６５Ａまでの距離は遊技球Ｐの直径の２倍程度であるが、突出部６５Ｂの最前端６５Ｃと遊技盤面１３Ａとの距離Ｌが遊技球Ｐの直径の３倍以上、かつ遊技に支障をきたさない程度以下の設定としてある。
このようにして突出部６５Ｂの後方には装飾部材２６の収納空間７１が設けられ、ここに前方側へ張り出した立体的なキャラクタ人形及び花の形状の装飾部材２６が収納されるようにされている。
【００５５】
次に本実施形態のパチンコ機１の作用効果について説明する。
本実施形態のパチンコ機１によれば、後方ガラス板６７は、遊技球Ｐが流下する第１領域２３Ａに対応して平面状とされているから、遊技球Ｐの動きを遊技者が慣れ親しんだ従来通りの平面的なものとすることができる。
また、前方ガラス板６５には、その最前端６５Ｃと遊技盤１３の遊技盤面１３Ａとの距離が遊技球Ｐの直径の３倍以上となるように前方に向けて湾曲した突出部６５Ｂが形成され、突出部６５Ｂの後方には前方側へ張り出した立体的なキャラクタ人形及び花の形状の装飾部材２６が収納されるようにされている。従って、従来のものと比べて装飾部材２６を前方側に大型化でき、遊技者にインパクトを与えることができる。
【００５６】
また、前方ガラス板６５の平面部６５Ａと前方ガラス６５の突出部６５Ｂとは曲面にて繋がれているから、平面部６５Ａと突出部６５Ｂとの境界線が見えにくくなり、境界線が目障りでなくなる。
さらに、前方ガラス板６５の平面部６５Ａと前方ガラス６５の突出部６５Ｂとは曲面にて繋がれていることから、以下の作用効果も奏される。前方ガラス板６５の一部を湾曲（突出）させると、前方ガラス板６５に応力がかかった場合に平面部６５Ａと突出部６５Ｂとの境界付近に応力が集中し易い。従って遊技者が前方ガラス板６５をたたいたりすると、この部分から割れるおそれがある。本実施形態では、平面部６５Ａと突出部６５Ｂとは曲面にて繋がれていることとしたから、前方ガラス板６５に応力がかかった場合でもその境界付近で応力が局部的に集中することはなく割れにくくなる。
【００５７】
また、本実施形態では、キャラクタ人形を装飾部材２６とし、キャラクタ人形を従来よりも遊技盤１３の前方側に突出させることができるため立体感をより一層引き出すことができる。
また、装飾部材２６たるキャラクタ人形の一部（手部２６Ａ）はソレノイドにより可動可能にされている。従って、遊技者の興味をより一層引くことができる。
また、遊技領域２３の第１領域２３Ａと第２領域２３Ｂとは、境界壁２５によって区画され、第２領域２３Ｂへの遊技球Ｐの進入は確実に防止されるから、遊技球Ｐによる装飾部材２６を損傷が防止される。
【００５８】
また、境界壁２５は、ポリカーボネート等のほぼ無色透明な樹脂板からなり、その第１領域側の側面には、シリコンゴム等のほぼ無色透明な弾性部材が貼り付けられており、全体としてほぼ無色透明となっている。よって、境界壁２５が遊技盤１３上で目立たなくなり、境界壁２５が目障りでなくなる。
さらに、境界壁２５の第１領域側の側面には、シリコンゴム等のほぼ無色透明な弾性部材が貼り付けられているから、遊技球Ｐの衝突による境界壁２５への衝撃が和らげられて境界壁２５の損傷が防止される。
【００５９】
＜第２実施形態＞
次に、第２実施形態について図４を参照しつつ説明する。
第２実施形態では、第１実施形態と異なる構成のみ説明し、第１実施形態と同一の他の構成、作用、効果については省略する。なお、同一の構成については第１実施形態と同一の符号を付す。第２実施形態では、突出部６５Ｂの形状が第１実施形態のものと異なる。
第２実施形態では、第１実施形態の図３に相当する図４の断面図に示すように、突出部６５Ｂの途中に変曲点をもつものとされている。本実施形態においても第１実施形態と同一の作用効果を奏する。
【００６０】
＜第３実施形態＞
次に、第３実施形態について図５を参照しつつ説明する。第３実施形態では、第１実施形態と異なる構成のみ説明し、第１実施形態と同一の他の構成、作用、効果については省略する。なお、同一の構成については第１実施形態と同一の符号を付す。第３実施形態では、ガラス板６４の突出構造が第１実施形態のものと異なる。
第３実施形態では、第１実施形態の図３に相当する図５の断面図に示すように、後方ガラス板６７は、前方ガラス板６５の端部より幅方向外方へ延出された部分を有し、この延出された部分には突出部６７Ｂが設けられている。
なお、本実施形態においても図５中の距離Ｌが遊技球Ｐの直径の３倍以上、かつ遊技に支障をきたさない程度以下の設定としてある。
このようにして突出部６７Ｂの後方には装飾部材２６の収納空間７１が設けられ、ここに前方側へ張り出した立体的なキャラクタ人形及び花の形状の装飾部材２６が収納されるようにされている。なお、本実施形態においても第１実施形態と同一の作用効果を奏する。
【００６１】
＜第４実施形態＞
次に、第４実施形態について図６，７を参照しつつ説明する。第４実施形態では、第１実施形態と異なる構成のみ説明し、第１実施形態と同一の他の構成、作用、効果については省略する。なお、同一の構成については第１実施形態と同一の符号を付す。第４実施形態では、ガラス板６４の突出部の構造、及びその位置が第１実施形態のものと異なる。従って、突出部の後方に配される遊技部材としての装飾部材２６の位置も異なっている。装飾部材２６は、誘導レール２１（本発明の所定の枠に相当）により囲まれるように区画された遊技領域２３のほぼ中央部、左右両端部付近、及び遊技領域２３よりも外の領域（図６において遊技領域２３の右上方領域）にそれぞれ配されている。
そして、これらの装飾部材２６の前方位置において、後方ガラス板６７には、突出部６７Ｂを形成する突出部材６８が取り付けられるとともに、この突出部材６８が前方ガラス板６５に開けられた開口８３から前方へ突出した突出構造が施されれている。
突出構造を中央部付近のものによって具体的に説明すると前方ガラス板６５及び後方ガラス板６７には、略円形の開口８３，８５がそれぞれ同軸でかつ同一の大きさをもって形成されている。なお、他の突出構造も中央部付近のものと基本的に同様の構成とされている。
【００６２】
両開口８３，８５には、後方ガラス板６７に取り付けられた全体が椀状をなす突出部材６８が嵌め込まれている（なお、本実施形態では突出部材６８を後方ガラス板６７と別体としているが、これらを一体成形してもよい）。この突出部材６８は円筒部と半球部とからできていて、円筒部が前後のガラス板６５，６７に嵌め込まれ、半球部は前方ガラス板６５からの突出部分とされている。突出部材６８は全周に取付用のフランジ８７を有し、後方ガラス板６７の開口８５の裏面に接着等の手段（あるいは適当な取付け具を用いた固定手段でもよい）によって固着されている。本実施形態においては、突出部材６８は透明の樹脂材によって一体に形成されるとともに、両開口８３，８５に対しては僅かに圧縮された状態で嵌め込まれ、その外周面が全周に沿って隙間なく密着した状態としてある。
なお、この実施形態では、突出部材６８は、両開口８３，８５に対し、自らの弾発力のみによって嵌め合わされるものを示したが、必要であれば更に接着剤を介在させるようにしてもよい。
【００６３】
かくして、突出部材６８は前方ガラス板６５の周縁部から局部的に突出することとなる。このようにして突出部材６８の後方には装飾部材２６の収納空間７１が設けられ、ここに前方側に張り出した立体的なキャラクタ人形の装飾部材２６が収納されるようにされている（なお、左右端部付近、及び遊技領域２３よりも外の領域においても、前方側へ張り出した装飾部材２６が同様にして収納されている）。なお、本実施形態においても図７中の距離Ｌが遊技球Ｐの直径の３倍以上、かつ遊技に支障をきたさない程度以下の設定としてある。
さらに、遊技盤１３には、突出部６７Ｂの上方縁部に相当する位置に境界壁２５が設けられている。境界壁２５の中央左寄りには、遊技球Ｐが進入可能な開口が２５Ｃが設けられている。第１領域２３Ａの遊技球Ｐは、この開口２５Ｃから装飾部材２６内部に設けられた通過経路２６Ｄに進入し、こ通過経路２６Ｄを通って、再び第１領域２３Ａに排出されるようにされている。
なお、通過経路２６Ｄの周壁の少なくとも一部は透明部材により形成されているとともに、装飾部材２６は、透明の樹脂で形成されており、通過経路２６Ｄ内を通過する遊技球Ｐを遊技者から視認可能とされている。
【００６４】
次に本実施形態特有の効果について説明する。
本実施形態では、遊技領域２３のほぼ中央部に前方側に大型化した装飾部材２６を配したから遊技者の視野に入りやすくなり、その結果、装飾部材２６を目立たせることができる。
また、一般に、遊技領域２３の端部付近は遊技者の視野に入りにくいが、端部付近にも前方側に大型化した装飾部材２６を配したから、端部付近も目立たせることができ装飾性を向上させることができる。
また、一般に、遊技領域２３よりも外の領域は遊技者の視野に入りにくいが、遊技領域２３よりも外にも大型化された装飾部材２６を配したから、遊技領域２３の外の領域も目立たせることができこの領域の装飾性を向上させることができる。
また、本実施形態によれば、装飾部材２６内に遊技球Ｐが進入可能となるとともに、遊技者は装飾部材２６内部を通過する遊技球Ｐを確認することができるため、遊技球Ｐが遊技盤１３上から消失してしまったという疑問を感じることを防止することができる。
【００６５】
＜第５実施形態＞
次に、第５実施形態について図８を参照しつつ説明する。第５実施形態では、第４実施形態と異なる構成のみ説明し、第４実施形態と同一の他の構成、作用、効果については省略する。なお、同一の構成については第４実施形態と同一の符号を付す。第５実施形態では、第４実施形態の図７に相当する図８の断面図に示すようにガラス板６４の突出構造が第４実施形態のものと異なる。
前方ガラス板６５には突出部６５Ｂが形成されるとともに、後方ガラス板６７にも、突出部６７Ｂが前方ガラス板６５の突出部６５Ｂと対応する位置に形成されている。
なお、本実施形態においても図８中の距離Ｌが遊技球Ｐの直径の３倍以上、かつ遊技に支障をきたさない程度以下の設定としてある。
次に本実施形態特有の効果について説明する。装飾部材２６の前方には、２枚のガラス板６５，６７が配されるから、遊技者がガラス板６４を叩いたとしても、２枚とも割られるおそれが減少し、後方の装飾部材２６が破損するおそれが減少する。
【００６６】
＜第６実施形態＞
次に、第６実施形態について図９を参照しつつ説明する。第６実施形態では、第４実施形態と異なる構成のみ説明し、第４実施形態と同一の他の構成、作用、効果については省略する。なお、同一の構成については第４実施形態と同一の符号を付す。第６実施形態では、第４実施形態の図７に相当する図９の断面図に示すようにガラス板６４の突出構造が第４実施形態のものと異なる。
前方ガラス板６５には、突出部６５Ｂが形成されるとともに、後方ガラス板６７には前方ガラス板６５の突出部６５Ｂと対応する位置に開口９０が形成されている。そして、遊技盤１３に突出して取り付けられた装飾部材２６は、後方ガラス板６７の開口９０から前方へ向かって突出している。
なお、本実施形態においても図９中の距離Ｌが遊技球Ｐの直径の３倍以上、かつ遊技に支障をきたさない程度以下の設定としてある。
【００６７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００６８】
（１）上記実施形態では、前方ガラス板６５の突出部６５Ｂ、後方ガラス板６７の突出部６７Ｂの形状は特定形状のものとしたが、その形状は特に限定されない。
（２）上記実施形態では、遊技部材は装飾部材２６としたが、遊技部材は特に限定されず、例えばランプ等であってもよい。
（３）上記第１実施形態では、遊技部材（装飾部材２６）の一部が可動するものとしたが、遊技部材は静止しているものであってもよい。
（４）上記実施形態では、遊技領域２３の第１領域２３Ａと第２領域２３Ｂとは、独立した境界壁２５によって区画されているものとしたが、収納空間７１に収納される遊技部材自体の第１領域２３Ａ側を境界としてもよい。この場合には、遊技部材自体の第１領域２３Ａ側は、遊技球Ｐが当たっても損傷しないように補強する構成が望ましい。
（５）上記第１実施形態では、境界壁２５は、全体としてほぼ無色透明として目立たなくしたが、逆に境界壁２５を着色して目立つようにしてこれによりデザイン性を付与してもよい。
（６）上記第１実施形態では、駆動手段はソレノイドとしたが、その他の手段、例えばモーターであってもよい。
（７）上記実施形態では、透明板としてガラス板を用いたが、透明な樹脂板を用いてもよい。
【符号の説明】
【００６９】
１…パチンコ機
７…ガラス扉枠
９…前面扉板
１３…遊技盤
１３Ａ…遊技盤面
２３…遊技領域
２３Ａ…第１領域
２３Ｂ…第２領域
２５…境界壁
２６…装飾部材（遊技部材）
２６Ａ…手部
Ｐ…遊技球
６４…ガラス板（透明板）
６５…前方ガラス板（前方透明板）
６５Ａ…平面部
６５Ｂ…突出部
６５Ｃ…最前端
６７…後方ガラス板（後方透明板）
７１…収納空間
【図１】
2010088956.tif 000003
【図２】
2010088956.tif 000004
【図３】
2010088956.tif 000005
【図４】
2010088956.tif 000006
【図５】
2010088956.tif 000007
【図６】
2010088956.tif 000008
【図７】
2010088956.tif 000009
【図８】
2010088956.tif 000010
【図９】
2010088956.tif 000011